(57)【要約】      （修正有）【課題】綴じ方法を仮綴じと固定綴じの選択ができ、かつ簡単な製造工程で製作可能なファイルを提供する。【解決手段】シート状成形物１から構成され、一つ以上の突起形状物２と、この突起形状物とシート状成形物に配置された折り線を中心として対となるように配置された三つ以上の閉じられた穴あるいは閉じられたスリット状の構造３、４もしくは開かれた穴あるいは開かれたスリット状の構造５が、シート状成形物の上に切り込まれて形成されている。【選択図】図１
0003201646.tif 000002
【実用新案登録請求の範囲】
【請求項１】
シート状成形物（１）から構成され、一つ以上の突起形状物（２）と、三つ以上の突起形状物と対となる閉じられた穴あるいは閉じられたスリット状の構造（３）、（４）もしくは開かれた穴あるいは開かれたスリット状の構造（５）が形成されていることを特徴とするシート状成形物。
【請求項２】
突起形状物（２）の幅（６）が閉じられた穴あるいは閉じられたスリット状の構造もしくは開かれた穴あるいは開かれたスリット状の構造（３）、（４）、（５）の最大開口長さ（７）より長い部分（８）を少なくとも一つ以上有することを特徴とする請求項１および２記載のシート状成形物。
【請求項３】
シート状成形物（１）が多層のシートから構成され、その一部あるいは全部が接着あるいは擬似接着されており、突起物（２）および、突起形状物と対をなす穴あるいはスリット状の構造（３）、（４）、（５）を有する部分（９）の両方あるいはどちらか一方が多層シートすべてを貫通していないことを特徴とする請求項１記載のシート状成形物。
【考案の詳細な説明】
【技術分野】
【０００１】  本発明は、書類等の複数枚のシートを綴じて保管したり輸送したりすることに適したファイルに関するものである。
【背景技術】
【０００２】  従来のファイルは、厚紙や合成樹脂製の厚手のシートを表紙素材として、金属や樹脂製の綴じ機構を有する器具等を組み合せた構造で構成されていた。従って部品点数が多く、加工工程も多く煩雑なため製造コストが高くなるだけでなく、使用後の分別回収にも不向きであった。さらに、従来のファイルでは資料の差し替えが簡単に行える構造が基本となっているため、書類の差し替えは容易であるが、差し替えを防止する機能を具備しておらず、簡単な構造でかつ書類の差し替え防止機能等を有する多機能のファイルが存在していなかった。
【先行技術文献】
【特許文献】
【０００３】
【特許文献１】特開平１１−１１０７４号公報
【特許文献２】登録実用新案公報  第３０４８３９９号
【考案の概要】
【考案が解決しようとする課題】
【０００４】  本発明は、生産工程が簡単で安価なファイルおよび綴じ機構を提供するものであり、資料の差し替えが容易な綴じ状態や強固に綴じる状態を簡単に選ぶことができる綴じ構造を提供することにある。さらには、素材を選定することで分別回収が容易で、リサイクル適性に優れたファイルを提供することにある。加えて、層構造や抜き加工方法により、外面は穴やスリットがない形状で、ファイルを棚に収納する時に引っ掛かりがなく収納しやすいファイルを提供することにある。
【課題を解決するための手段】
【０００５】  前記課題を解決するために、本発明では、表紙素材の一部を加工形成して綴じ機構等を構成する部分を作る加工を行い、主に型抜きの方法を用いて加工することにより、生産性が高く安価に本発明品を提供できるようにしたものである。型抜きの方法については、あらかじめ抜き型を作り、プレス加工する方法や、レーザー光や強い水流でスリット加工や穴あけ加工を行う方法等、特に限定はなく、必要な部分に必要な深さで表紙素材に切れ込みを入れることにより本発明を達成することができる。【０００６】  本発明の構成要素である綴じ機構は、図１に示すように、突起形状（２）を資料等の穴に通したのち、対向するシート片（９）の穴あるいはスリット形状（３）に通し、突起形状物を固定するための穴あるいはスリット形状（４）を通すことにより綴じられた資料等が強く固定される。さらに穴あるいはスリット形状（５）を通せばより一層強固に固定することができる。また、（４）を通す替わりに（５）を通した場合では、簡単に突起形状物を取り外すことができるため、仮止めする場合に好適である。これらの綴じ機構を使うことにより下記に示す多くのファイル形態、図１〜図５を作ることができ非常に有用である。
【実施例】
【０００７】  本発明の綴じ機構の配置は、自由に決めることができるが、綴じられる資料等を開く方向を考慮して綴じ機構の数や配置を決めることが好ましい。代表的な例としては、中央部に２ヶ所の綴じ機構の配置（図１）や、開いた状態で、右側の天側部分に配置する形態（図２）が代表的なものであるが、これらに限定されるものではなく、これらの配置を複数組み合わせることも可能である。また、表紙形状は２つ折の形状や折の無ないシート状、あるいは小口を三つ折りの形状、さらには蛇腹状の折形状等、必要に応じて折数やサイズを変えることが可能である。【０００８】  本発明のシート状成形物を多層構造とし、抜き加工を内側の一部の層のみに施すことにより、外面は穴やスリット等がない形状とすることができ、ファイルを棚に収納する時に引っ掛かりがなく収納しやすいファイルを提供することができる。【０００９】  本発明のファイルにおいて、厚い資料等を綴じて表紙を折る場合に、複数の折線を設けておけば資料等の厚みに応じて必要な折線部で折ることにより適切な厚みのファイルにすることができる。また、突起形状の長さも必要な厚みに応じて長さを変えることで幅広い用途に対応可能となる。また、資料等の重量に応じて綴じ機構の個数を増加させること、例えば、資料を４穴（図３）とし、４箇所の綴じ機構を設けた場合には、各綴じ部への力が分散され、資料の抜け落ち防止に効果がある。【００１０】  表紙には、必要によりカードポケットやコーナーポケット（図４）、資料保護のための折り返しフラップ等（図５）を設けてもよい。これらの付帯物は、特に配置や位置の限定はなく、必要に応じて表紙の外側、内側、あるいは両方に付けてもよい。【００１１】  表紙には、各種表示のための印刷や筆記適性付与を目的とした印刷や表面処理等を施してもよく、特に透明、半透明のシートを使用する場合は、必要に応じて資料の読み取りを防止するための隠蔽印刷やキャラクターデザイン等の印刷を行うことで、より商品価値を高めることができる。また、透明シートの場合は、透明な窓部分を作ることにより、資料面の情報を郵送時の宛名として活用することや、ファイル保管時の資料の確認が容易になる等の効果がある。【００１２】  本発明に使用するシートは合成樹脂シートや合成紙、不織布、再生紙を含む紙類、樹脂含浸紙等の単一素材に限定するものではなく、単一素材のシートを重ね合わせたものや、合成樹脂シートや合成紙、不織布、再生紙を含む紙類、樹脂含浸紙等の異なる素材を貼合したものでもよく、特に不織布や紙類等の空隙のある素材においては、樹脂含浸や樹脂塗布をすることで機械的強度の向上や耐水性の向上を図ることができ、各種既知の表面処理を行うことで風合いを変えたものなどが作成可能である。特にシート状の素材においても、抜き加工、折加工、曲げ加工が出来れば既知のシート素材が使用可能である。シートを重ね合わせる場合は、全面あるいは必要な部分を接着剤や粘着剤により貼合する方法や熱や圧力により樹脂を擬似接着させる方法等を行うことで本発明のシート基材に利用することができる。【００１３】  本発明の綴じ機構を使用するで、資料等を綴じた後、綴じ部に改竄防止シール等を貼り封印することで、資料の追���や差し替えができなくすることも可能で、さらに表紙部分を綴じて改竄防止シール等を貼り封印することでより高い機密性を保持することができる。
以下に、本発明の具体的な実施形態について図を用いて説明する。
【考案の効果】
本考案は上記の通りであり、表紙素材の一部を加工形成して綴じ機構等を構成する部分を作る加工を行い、主に型抜きの方法を用いて加工することにより、生産性が高く安価に本発明品を提供できるようにしたものである。また、綴じ方法を仮綴じと固定綴じの選択ができるため、綴じる書類の用途に合わせて使い分けることが可能である。
【図面の簡単な説明】
【図１】この発明に係る実施形態の斜視図及び正面拡大図。
【図２】実施例２
【図３】実施例３
【図４】実施例４
【図５】実施例５
【図６】突起形状物とそれを挿入する穴あるいはスリットの形状
【符号の説明】  （１）  シート状成形物
（２）  突起形状物
（３）  穴あるいはスリット
（４）  穴あるいはスリット
（５）  穴あるいはスリット
（６）  突起形状物２の幅
（７）  ３、４、５の最大開口長さ
（８）  ７より長い部分
（９）  ３、４、５を有するシート片
【図１】
0003201646.tif 000003
【図２】
0003201646.tif 000004
【図３】
0003201646.tif 000005
【図４】
0003201646.tif 000006
【図５】
0003201646.tif 000007
【図６】
0003201646.tif 000008
【手続補正書】
【提出日】平成27年10月6日(2015.10.6)
【手続補正１】
【補正対象書類名】実用新案登録請求の範囲
【補正対象項目名】全文
【補正方法】変更
【補正の内容】
【実用新案登録請求の範囲】
【請求項１】
シート状成形物（１）から構成され、一つ以上の突起形状物（２）と、この突起形状物（２）とシート状成形物（１）に配置された折り線を中心として対となるように配置された三つ以上の閉じられた穴あるいは閉じられたスリット状の構造（３）（４）もしくは開かれた穴あるいは開かれたスリット状の構造（５）が、シート状成形物（１）の上に切り込まれて形成されていることを特徴とするシート状成形物。
【請求項２】
突起形状物（２）の幅（６）が閉じられた穴あるいは閉じられたスリット状の構造もしくは開かれた穴あるいは開かれたスリット状の構造（３）、（４）、（５）の最大開口長さ（７）より長い部分（８）を少なくとも一つ以上有することを特徴とする請求項１記載のシート状成形物。
【請求項３】
シート状成形物（１）が多層のシートから構成され、その一部あるいは全部が接着あるいは擬似接着されており、突起物（２）および、突起形状物と対をなす穴あるいはスリット状の構造（３）、（４）、（５）を有する部分（９）の両方あるいはどちらか一方が多層シートすべてを貫通していないことを特徴とする請求項１記載のシート状成形物。